Podtech/llm-jp-corpus-v4-ja_patent huggingface dataset:
【手続補正書】
【提出日】平成17年6月1日(2005.6.1)
【手続補正１】
【補正対象書類名】特許請求の範囲
【補正対象項目名】全文
【補正方法】変更
【補正の内容】
【特許請求の範囲】
【請求項１】
ゲームマネージメントセンタ（１０）と少なくとも１つのリモートゲームターミナル（２０1,...,２０n）との間でのゲームマネージメント方法であって、
少なくとも１つのゲームチケットをゲームターミナルから要求するステップ（４０）と、
ゲームチケットをゲームターミナルにより提示するステップ（５８，６０）とを有する方法において、
前記要求ステップと提示ステップとの間に；
・ゲームマネージメントセンタ（１０）により、当該ゲームチケットが勝ちとして提示されるかまたは負けとして提示されるかを決定する勝利インジケータ（Ｒ1）を発生するステップ（５０）と；
・ゲームマネージメントセンタ（１０）によりゲームターミナル（２０1,...,２０n）に前記勝利インジケータを含む結果（Ｒ）を伝送するステップ（５２）と；
を有し、
前記提示ステップ（５８，６０）の間に、ゲームターミナルは少なくとも１つのゲームチケットの提示を伝送された結果（Ｒ）の関数として発生し、前記ゲームチケットを提示の下に提出する、ことを特徴とする方法。
【請求項２】
ゲームは勝利確率により予め決められており、ゲームマネージメントセンタ（１０）は前記処理インジケータを勝利確率の関数として発生する、請求項１記載の方法。
【請求項３】
ゲームターミナル（２０1,...,1２０n）によりゲームマネージメントセンタ（１０）にゲームチケット要求メッセージ（Ｍ）を伝送するステップ（４７）を有する、請求項１または２記載の方法。
【請求項４】
ゲームチケット要求メッセージ（Ｍ）は、ゲームターミナル（２０1,...,２０n）により発生されたシード（Ｍ4）を有し、
該シード（Ｍ4）はゲームマネージメントセンタ（１０）により使用され、提示されるゲームチケットが勝ちであるか負けであるかをランダムに決定する、請求項３記載の方法。
【請求項５】
ゲームターミナル（２０1,...,２０n）はゲームチケットの少なくとも２つの提示を発生し、
第１の提示は該ゲームチケットが勝ちであるか負けであるかを指示せず、
ゲームチケットはマスクされたシンボルを備える複数のゾーンを有しており、
第２の提示はゲームチケットが勝ちであるか負けであるかを、結果（Ｒ）の関数として指示し、
所定数のゾーンはマスクが外され、ゲームターミナル（２０1,...,２０n）は、プレーヤによりマスクの外された各シンボルを結果（Ｒ）の関数としてダイナミックに選択する、請求項１から４までのいずれか１項記載の方法。
【請求項６】
前記結果（Ｒ）は、ゲームマネージメントセンタ（１０）により対称性または非対称性暗号プロセスを使用して暗号化される、請求項１から５までのいずれか１項記載の方法。
【請求項７】
前記勝利インジケータの発生ステップ中に、ゲームマネージメントセンタ（１０）はさらに、ゲームチケット（Ｒ3）を識別する番号を発生し、
前記結果（Ｒ）はゲームチケット識別番号（Ｒ3）を有する、請求項１から６までのいずれか１項記載の方法。
【請求項８】
ゲームチケットが勝ちであると決定された場合、当該方法はさらにゲームターミナル（２０1,...,２０n）によりゲームマネージメントセンタ（１０）に、該ゲームチケットを識別する番号（Ｒ3）を含む勝利プルーフ（Ｐ）を伝送するステップ（６２）を有する、請求項１から７までのいずれか１項記載の方法。
【請求項９】
前記結果（Ｒ）はチケット発生シード（Ｒ5）を有し、
該チケット発生シード（Ｒ5）はゲームターミナル（２０1,...,２０n）により、ゲームチケットの提示のために使用される、請求項１から８までのいずれか１項記載の方法。
【請求項１０】
ゲームの所定の勝利確率は、勝利値の統計的分布を有する、請求項１から９までのいずれか１項記載の方法。
【請求項１１】
決定（５０）の結果（Ｒ）の関数は、チケットが勝ちであると決定された場合、勝利値の統計的分布に依存する勝利値（Ｒ2）を有する、請求項１０記載の方法。
【請求項１２】
ゲームチケットはゲームマネージメントセンタ（１０）により、支払プルーフ（Ｍ1）の受領後に発行される、請求項１から１１までのいずれか１項記載の方法。
【請求項１３】
ゲームマネージメントセンタ（１０）は複数のゲームを管理し、
ゲームチケット要求ステップ（４０）に続いて、ゲームマネージメントセンタ（１０）は、少なくとも１つのゲームに相応するゲームチケットの少なくとも１つの形式を選択する、請求項１から１２までのいずれか１項記載の方法。
【請求項１４】
プレーヤにより発行されたゲームチケット要求を受信する手段と、前記要求の受信によりアクティベートされた少なくとも１つのゲームチケットを発生する手段と、該ゲームチケットが勝ちであるか負けであるかを、プレーヤへの提示の前に決定する手段とを有する、ことを特徴とするゲームマネージメントセンタ（１０）。
【請求項１５】
少なくとも１つのゲームチケットに対する要求を発行する手段と、ゲームチケットが勝ちであるか負けであるかの決定結果（Ｒ）を受信する手段と、ゲームチケットの少なくとも１つの提示を結果（Ｒ）の関数として発生する手段と、当該提示の下でゲームチケットを提出する手段とを有する、ことを特徴とするゲームターミナル（２０1,...,２０n）。
【請求項１６】
前記発生手段はゲームチケットの少なくとも２つの提示を発生し、
第１の提示はゲームチケットが勝ちであるか負けであるかを指示せず、
第２の提示はゲームチケットが勝ちであるか負けであるかを結果（Ｒ）の関数として指示する、請求項１５記載のゲームターミナル。
【手続補正書】
【提出日】平成17年6月21日(2005.6.21)
【手続補正１】
【補正対象書類名】特許請求の範囲
【補正対象項目名】全文
【補正方法】変更
【補正の内容】
【特許請求の範囲】
【請求項１】
植物の稔性をモジュレーションする方法であって、該植物をＧＡＢＡまたはＧＡＢＡ類似体で処理することを含む方法。
【請求項２】
ＧＡＢＡ類似体が、フォルスコリン、ガバペンチン（gabapentin）およびプレガバリン（pregabalin）、４−cis−アミノクロトン酸、Ｎ−メチル−Ｅｘｏ−ＴＨＰＯ、テトラヒドロイソキサゾロピリジン（ＴＨＩＰ）、イミダゾール−４−酢酸、イソグバシン（Isoguvacine）、ムシモール（Muscimol）、バクロフェン（Baclofen）、cis−アミノクロトン酸（ＣＡＣＡ）および trans−アミノクロトン酸（ＴＡＴＡ）から成る群より選択される請求項１に記載の方法。
【請求項３】
植物の稔性をモジュレーションする方法が、該植物をＧＡＢＡトランスアミナーゼ阻害剤で処理することを含む方法。
【請求項４】
ＧＡＢＡトランスアミナーゼ阻害剤が、（Ｓ）−４−アミノ−５−フルオロペンタン酸、４−アミノ−２−（置換メチル）−２−ブテン酸、４−アミノ−５−フルオロペント−２−エン酸、γ−ビニルＧＡＢＡ［Ｄ，Ｌ−４−アミノヘクス−５−エン酸（ビガバトリン（Vigabatrin）（Ｒ））］およびバルプロエート（Valproate）から成る群より選択される請求項３に記載の方法。
【請求項５】
増大したＧＡＢＡレベルによって自家不稔性にされた花を有する植物の稔性を回復する方法が、該植物をＧＡＢＡ阻害剤で処理することを含む方法。
【請求項６】
ＧＡＢＡ阻害剤が、グバシン、（Ｒ）−ニペコチン酸、チアガビン（Tiagabine）、抗
痙攣薬１−（２−（（（ジフェニルメチレン）アミノ）オキシ）エチル）−１，２，５，６−テトラヒドロピリジンカルボン酸塩酸塩、ＮＮＣ−７１１、ビククリン（Bicuculine）、ピトラゼピン（Pitrazepin）、ベンジルペニシリン、セクリニン、ファクロフェン（Phaclofen）、ＣＧＰ３５３４８、ピクロトキシン（Picrotoxin）、１，２，５，６−テトラヒドロピリジン−４−イルおよびメチルホスフィン酸（methylphophinic acid）から成る群より選択される請求項５に記載の方法。
【請求項７】
植物育種の方法であって、
（ａ）第一植物および第二植物を入手し；
（ｂ）該第一植物をＧＡＢＡまたはＧＡＢＡ類似体で処理し；そして
（ｃ）該第一植物に該第二植物からの花粉を受粉することを含む方法。
【請求項８】
植物育種の方法であって、
（ａ）第一植物および第二植物を入手し；
（ｂ）該第一植物をＧＡＢＡトランスアミナーゼ阻害剤で処理し；そして
（ｃ）該第一植物に該第二植物からの花粉を受粉することを含む方法。
【請求項９】
候補ＧＡＢＡ類似体についてスクリーニングする方法であって、
（ａ）試験植物を入手し；
（ｂ）該試験植物を候補ＧＡＢＡ類似体で処理し；そして
（ｃ）該試験植物の稔性への該候補ＧＡＢＡ類似体の作用を検出する工程を含む方法。
【請求項１０】
候補ＧＡＢＡトランスアミナーゼ阻害剤についてスクリーニングする方法であって、
（ａ）試験植物を入手し；
（ｂ）該試験植物を候補ＧＡＢＡトランスアミナーゼ阻害剤で処理し；そして
（ｃ）該試験植物の稔性への該候補ＧＡＢＡトランスアミナーゼ阻害剤の作用を検出する工程を含む方法。
【請求項１１】
候補ＧＡＢＡ阻害剤についてスクリーニングする方法であって、
（ａ）増大したＧＡＢＡレベルの結果として減少した稔性を示す試験植物を入手し；
（ｂ）該試験植物を候補ＧＡＢＡ阻害剤で処理し；そして
（ｃ）該試験植物の稔性への該候補ＧＡＢＡ阻害剤の作用を検出する工程を含む方法。
【手続補正書】
【提出日】平成17年10月26日(2005.10.26)
【手続補正１】
【補正対象書類名】特許請求の範囲
【補正対象項目名】全文
【補正方法】変更
【補正の内容】
【特許請求の範囲】
【請求項１】
ホップの薬学的等級の抽出物であって、α酸およびβ酸からなる群より選択される、有効量の成分Ｉ、ならびにα酸、β酸、精油、脂肪、およびワックスからなる群より選択される、有効量の少なくとも一種の成分ＩＩを含有し、但し、化合物Ｉと化合物ＩＩとは同一の化合物ではなく、該薬学的等級の抽出物が約１０〜９５重量％のα酸および薬学的に受容可能なキャリアを含有する、抽出物。
【請求項２】
請求項１に記載のホップの薬学的等級の抽出物であって、前記薬学的に受容可能なキャリアが、コーティング、アイソトニックおよび吸収遅延剤、結合剤および接着剤、潤滑剤、崩壊剤、着色剤、香味剤、甘味料、吸収剤、界面活性剤および乳化剤からなる群より選択される、抽出物。
【請求項３】
請求項１に記載のホップの薬学的等級の抽出物であって、抗酸化剤、ビタミンおよびミネラルからなる群より選択される一種以上のメンバーをさらに含有する、抽出物。
【請求項４】
請求項１に記載のホップの薬学的等級の抽出物であって、タンパク質、脂肪、炭化水素、グルコサミン、コンドロイチン硫酸およびアミノ糖からなる群より選択される一種以上のメンバーをさらに含有する、抽出物。
【請求項５】
請求項１〜４のいずれか１項に記載のホップの薬学的等級の抽出物であって、前記α酸が、フムロン、コフムロン、イソフムロン、イソプレフムロン、ヒュールポン、アドフムロン、キサントヒュモールＡおよびキサントヒュモールＢからなる群より選択される、抽出物。
【請求項６】
請求項１〜４のいずれか１項に記載のホップの薬学的等級の抽出物であって、前記β酸が、リュープロン、コリュープロン、テトラヒドロイソフムロンおよびヘキサヒドロコリュープロンからなる群より選択される、抽出物。
【請求項７】
請求項１〜４のいずれか１項に記載のホップの薬学的等級の抽出物であって、該ホップの抽出物は、ホップ植物産物を、以下：水、蒸気、加熱水、メタノール、エタノール、ヘキサン、クロロホルム、液体ＣＯ２、および液体Ｎ２からなる群より選択される溶媒に曝す工程により調製される、抽出物。
【請求項８】
ホップの薬学的等級の抽出物の投薬形態であって、α酸およびβ酸からなる群より選択される、有効量の成分Ｉ、ならびにα酸、β酸、精油、脂肪、およびワックスからなる群より選択される、有効量の少なくとも一種の成分ＩＩを含有する投薬形態であって、但し、化合物Ｉと化合物ＩＩとは同一の化合物ではなく、該薬学的等級の抽出物が約１０〜９５重量％のα酸および薬学的に受容可能なキャリアを含有する、投薬形態。
【請求項９】
前記投薬形態が、カプセル、錠剤、注射用懸濁液、スプレー溶液、スプレー懸濁液またはローションである、請求項８に記載の投薬形態。
【請求項１０】
請求項８に記載の投薬形態であって、前記薬学的に受容可能なキャリアが、コーティング、アイソトニックおよび吸収遅延剤、結合剤および接着剤、潤滑剤、崩壊剤、着色剤、香味剤、甘味料、吸収剤、界面活性剤および乳化剤からなる群より選択される、投薬形態。
【請求項１１】
炎症の症状を罹患している非ヒト動物に、ホップの薬学的等級の抽出物を投与する工程を包含する処置方法であって、該抽出物は、α酸およびβ酸からなる群より選択される、有効量の成分Ｉ、ならびにα酸、β酸、精油、脂肪、およびワックスからなる群より選択される、有効量の少なくとも一種の成分ＩＩを含有し、但し、化合物Ｉと化合物ＩＩとは同一の化合物ではなく、該薬学的等級の抽出物が約１０〜９５重量％のα酸および薬学的に受容可能なキャリアを含有する抽出物である、処置方法。
【請求項１２】
請求項１１に記載の方法であって、前記投与が、ｋｇ体重あたりで一日あたり約０．０１ｍｇ〜１００ｍｇのα酸、ｋｇ体重あたりで一日あたり約０．０１ｍｇ〜１００ｍｇのβ酸、およびｋｇ体重あたりで一日あたり約０．０１ｍｇ〜１００ｍｇの精油を提供する、方法。
【請求項１３】
請求項１１に記載の方法であって、前記動物が、非ヒト霊長類、イヌ、ネコ、トリ、ウマ、爬虫類、魚類、両生類、および反芻動物からなる群より選択される、方法。
【請求項１４】
請求項１１に記載の方法であって、投与が、経口送達、非経口送達、局所的送達、経皮送達および経粘膜送達からなる群より選択される手段による、方法。
【請求項１５】
前記投与が局所的である、請求項１１に記載の方法。
【請求項１６】
前記投与工程が、ｋｇ体重あたり一日あたり約０．０１ｍｇ〜１００ｍｇのα酸を提供する、請求項１１に記載の方法。
【請求項１７】
請求項１１に記載の方法であって、前記薬学的に受容可能なキャリアが、コーティング、アイソトニックおよび吸収遅延剤、結合剤および接着剤、潤滑剤、崩壊剤、着色剤、香味剤、甘味料、吸収剤、界面活性剤および乳化剤からなる群より選択される、方法。
【請求項１８】
請求項１１に記載の方法であって、前記ホップの薬学的等級の抽出物が、抗酸化剤、ビタミンおよびミネラルからなる群より選択される一種以上のメンバーをさらに含有する、方法。
【請求項１９】
請求項１１に記載の方法であって、前記ホップの薬学的等級の抽出物が、タンパク質、脂肪、炭化水素、グルコサミン、コンドロイチン硫酸およびアミノ糖からなる群より選択される一種以上のメンバーをさらに含有する、方法。
【請求項２０】
請求項１１に記載の方法であって、前記α酸が、フムロン、コフムロン、イソフムロン、イソプレフムロン、ヒュールポン、アドフムロン、キサントヒュモールＡおよびキサントヒュモールＢからなる群より選択される、方法。
【請求項２１】
請求項１１に記載の方法であって、前記β酸が、リュープロン、コリュープロン、テトラヒドロイソフムロンおよびヘキサヒドロコリュープロンからなる群より選択される、方法。
【請求項２２】
前記ホップの薬学的等級の抽出物が、ｋｇ体重あたりで一日あたり約０．０１ｍｇ〜１００ｍｇのα酸、ｋｇ体重あたりで一日あたり約０．０１ｍｇ〜１００ｍｇのβ酸、およびｋｇ体重あたりで一日あたり約０．０１ｍｇ〜１００ｍｇの精油を提供する量の投与のために処方される、請求項１に記載の抽出物。
【請求項２３】
前記ホップの薬学的等級の抽出物が、非ヒト霊長類、イヌ、ネコ、トリ、ウマ、爬虫類、魚類、両生類、および反芻動物からなる群より選択される動物への投与のために処方される、請求項１に記載の抽出物。
【請求項２４】
前記ホップの薬学的等級の抽出物が、経口送達、非経口送達、局所的送達、経皮送達および経粘膜送達からなる群より選択される手段による投与のために処方される、請求項１に記載の抽出物。
【請求項２５】
前記ホップの薬学的等級の抽出物が、局所的手段により投与するために処方される、請求項１に記載の抽出物。
【請求項２６】
前記ホップの薬学的等級の抽出物が、ｋｇ体重あたりで一日あたり約０．０１ｍｇ〜１００ｍｇのα酸を提供する量で投与するために処方される、請求項１に記載の抽出物。
【手続補正書】
【提出日】平成17年5月23日(2005.5.23)
【手続補正１】
【補正対象書類名】特許請求の範囲
【補正対象項目名】全文
【補正方法】変更
【補正の内容】
【特許請求の範囲】
【請求項１】
三葉第２因子（TFF2）ペプチド（但し、グリコシル化されたLys99−TFF2ではない）
又は医薬的に許容できるその塩を含んで成る、哺乳類における粘液層の粘度を高めるための医薬組織組成物。
【請求項２】
前記哺乳類がヒトである請求項１記載の医薬組成物。
【請求項３】
局部及び管腔適用のための請求項１又は２記載の医薬組成物。
【請求項４】
非経口投与のための請求項１又は２記載の医薬組成物。
【請求項５】
経口投与のための請求項１又は２記載の医薬組成物。
【請求項６】
前記TFF2ペプチドが、ヒト組み換えTFF2である請求項１〜５のいずれか１項記載の医薬組成物。
【請求項７】
前記ヒトTFF2ペプチドが、グリコシル化される請求項６記載の医薬組成物。
【請求項８】
ムチン糖タンパク質調製物をさらに含んで成る請求項１〜７のいずれか１項記載の医薬組成物。
【請求項９】
口内粘液の処理のための請求項１〜８のいずれか１項記載の医薬組成物。
【請求項１０】
唾液の低められた分泌による患者の処理のための請求項９記載の医薬組成物。
【請求項１１】
唾液の低められた分泌は、刺激的治療、抗コリン作用剤による処理又はシェーグレン症候群により引き起こされる請求項10記載の医薬組成物。
【請求項１２】
気道の処理のための請求項１〜８のいずれか１項記載の医薬組成物。
【請求項１３】
通常の風邪又はアレルギー性鼻炎における鼻の分泌物の粘度を高めるための請求項12記載の医薬組成物。
【請求項１４】
刺激物、ガス、ダスト又はフュームの偶然の吸入に続いての気道の処理のための請求項13記載の医薬組成物。
【請求項１５】
食道の遠位部分の処理のための請求項１〜８のいずれか１項記載の医薬組成物。
【請求項１６】
食道逆流、出血性裂孔又はBarrets食道における胃からの酸分泌に対する保護のための請求項15記載の医薬組成物。
【請求項１７】
胃の処理のための請求項１〜８のいずれか１項記載の医薬組成物。
【請求項１８】
外傷、ショック、大手術、腎又は肝疾患に続くストレス誘発性胃潰瘍の処理、又はアスピリン、他のNSAIDS、ステロイド又はアルコールによる処理のための請求項17記載の医薬組成物。
【請求項１９】
下痢の処理のための請求項１〜８のいずれか１項記載の医薬組成物。
【請求項２０】
クローン病、潰瘍性大腸炎又は刺激性腸症候群における小腸又は結腸粘液の処理のための請求項１〜８のいずれか１項記載の医薬組成物。
【請求項２１】
眼の処理のための請求項１〜８のいずれか１項記載の医薬組成物。
【請求項２２】
角結膜炎、乾燥/シューグレン症候群又はドライアイを有する患者における涙液の粘度を高めるための請求項21記載の医薬組成物。
【請求項２３】
前記医薬組成物が眼薬に存在する請求項21又は22記載の医薬組成物。
【請求項２４】
膝関節の処理のための請求項１〜８のいずれか１項記載の医薬組成物。
【請求項２５】
変形性関節炎における及び関節置換に続いての滑液の粘度を高めるための請求項24記載の医薬組成物。
【請求項２６】
慢性膀胱感染、カテーテルを有する患者、間質性膀胱炎、乳頭腫又は膀胱癌の処理のための請求項１〜８のいずれか１項記載の医薬組成物。
【請求項２７】
哺乳類における粘液層の粘度を高めるための薬剤の調製のためへのTFF2ペプチド（但し、グリコシル化ではない）の使用。
【請求項２８】
哺乳類における粘液層の粘度を高めるための、請求項１〜26のいずれか１項記載の薬剤の調製のためへのTFF2ペプチドの使用。
【請求項２９】
前記哺乳類がヒトである請求項27又は28記載の使用。
【手続補正書】
【提出日】平成17年6月7日(2005.6.7)
【手続補正１】
【補正対象書類名】特許請求の範囲
【補正対象項目名】全文
【補正方法】変更
【補正の内容】
【特許請求の範囲】
【請求項１】
５−ＨＴ６および／または５−ＨＴ７セロトニン作動性受容体のリガンドである式（Ｉ）の化合物または医薬上許容されるその塩を含む医薬組成物
【化１】
2004534816.tif 000001
［式中：Ｒ１およびＲ２は、同じであっても異なっていてもよく、ＨまたはＣ１−Ｃ６直鎖状または分枝鎖状アルキル；
Ｒ３＝Ｃ１−Ｃ６直鎖状または分枝鎖状アルキル；
Ｒ４＝ハロゲン］。
【請求項２】
セロトニンレベル低下に関連する神経系疾患、心血管系を含む全身性疾患、および消化管の治療に用いられる、請求項１に記載の医薬組成物。
【請求項３】
高血圧の治療に有用である、請求項２に記載の医薬組成物。
【請求項４】
過敏性大腸症候群の治療に有用である、請求項２に記載の医薬組成物。
【請求項５】
偏頭痛、抑欝、高血圧、精神病およびサーカディアンリズム（覚醒／睡眠周期およびメラトニン合成）の脱同期化および／または喪失から起こる症状の治療に有用である、請求項１に記載の医薬組成物。
【請求項６】
該式（Ｉ）の化合物または医薬上許容されるその塩が５−ＨＴ６セロトニン作動性受容体のリガンドであり、抑欝、気分障害、精神病、統合失調症、運動障害、認知障害、パーキンソン病、アルツハイマー病、ハンチントン病の治療に有用である、請求項１に記載の医薬組成物。
【請求項７】
式（Ｉ）の化合物においてＲ１がＲ２と同じである請求項１に記載の医薬組成物。
【請求項８】
式（Ｉ）の化合物においてＲ３がメチルでありＲ４がブロモまたはクロロである請求項１または４に記載の医薬組成物。
【請求項９】
式（Ｉ）の化合物においてＲ４がブロモである請求項１または５に記載の医薬組成物。
【請求項１０】
式（Ｉ）の化合物が５−ブロモ−２−メチル−Ｎ，Ｎ−ジメチルトリプタミンである請求項９に記載の医薬組成物。
【請求項１１】
式（Ｉ）の化合物においてＲ４がクロロである請求項１または６に記載の医薬組成物。
【請求項１２】
式（Ｉ）の化合物が５−クロロ−２−メチル−Ｎ，Ｎ−ジメチルトリプタミンまたは５−クロロ−２−エチル−Ｎ，Ｎ−ジメチルトリプタミンである請求項１１に記載の医薬組成物。
【請求項１３】
該式（Ｉ）の化合物または医薬上許容されるその塩が５−ＨＴ７セロトニン作動性受容体のリガンドである請求項９に記載の医薬組成物。
【請求項１４】
該式（Ｉ）の化合物または医薬上許容されるその塩が５−ＨＴ６セロトニン作動性受容体のリガンドである請求項１１または１２に記載の医薬組成物。
【請求項１５】
特に個体の学習プロセスを補助または向上させ、精神疲労、抑欝および睡眠障害をもたらすヒトの生物的リズムの脱同期化に対抗するための、抑欝、偏頭痛および高血圧の治療に有用である、請求項１３に記載の医薬組成物。
【請求項１６】
抑欝、気分障害、精神病、統合失調症、運動障害、認知障害、パーキンソン病、アルツハイマー病、ハンチントン病の治療に有用な、請求項１４に記載の医薬組成物。
【請求項１７】
式（Ｉ）の化合物または医薬上許容されるその塩
【化２】
2004534816.tif 000002
［式中：Ｒ１およびＲ２は同じであっても異なっていてもよいＨまたはＣ１−Ｃ６アルキル；
Ｒ３＝Ｃ１−Ｃ６アルキル；
Ｒ４＝ハロゲン，
ただし、Ｒ４がフルオロ、クロロまたはブロモ、Ｒ３がメチルの場合、同じであっても異なっていてもよいＲ１およびＲ２はＨまたはメチルではない］。
【請求項１８】
以下のスキームに従う、請求項１７に記載の化合物の調製方法。
【化３】
2004534816.tif 000003
【請求項１９】
活性成分として少なくとも１つの請求項１７に記載の化合物を、医薬上許容される媒体および／または賦形剤と混合して含む医薬組成物。
【手続補正書】
【提出日】平成17年6月10日(2005.6.10)
【手続補正１】
【補正対象書類名】特許請求の範囲
【補正対象項目名】全文
【補正方法】変更
【補正の内容】
【特許請求の範囲】
【請求項１】
約0.1重量％〜約３重量％のイプラトロピウムブロミド粉末、アルブテロールサルフェート粉末又はチオトロピウムブロミド粉末を、担体と共に含有し、該担体がミオイノシトール、セロビオース及びこれらの混合物からなる群から選ばれる微細に粉砕された粉末である、薬剤を体腔に投与するための吸入用医薬組成物。
【請求項２】
担体がセロビオースである請求項１記載の吸入用医薬組成物。
【請求項３】
セロビオース直径が、約１μｍより大きく、約５μｍ未満である請求項２記載の吸入用医薬組成物。
【請求項４】
約0.1重量％〜約３重量％のイプラトロピウムブロミドを担体と共に含有し、該担体が微細に粉砕されたセロビオース粉末である、薬剤を体腔に投与するための吸入用医薬組成物。
【請求項５】
セロビオース直径が、約１μｍより大きく、約５μｍ未満である請求項４記載の吸入用医薬組成物。
【請求項６】
約0.1重量％〜約３重量％のチオトロピウムブロミドを担体と共に含有し、該担体が微細に粉砕されたセロビオース粉末である、薬剤を体腔に投与するための吸入用医薬組成物。
【請求項７】
セロビオース直径が、約１μｍより大きく、約５μｍ未満である請求項６記載の吸入用医薬組成物。
【手続補正書】
【提出日】平成17年6月7日(2005.6.7)
【手続補正１】
【補正対象書類名】特許請求の範囲
【補正対象項目名】全文
【補正方法】変更
【補正の内容】
【特許請求の範囲】
【請求項１】
２個のアルコキシ基が同一もしくは異なることができるかあるいは一緒になって場合により置換されていることができるオキシ−アルキレン−オキシ架橋を示す３，４−ジアルコキシチオフェンのポリマーもしくはコポリマー、ポリアニオン及びラテックス結合剤を有機溶剤又は水性媒体中に含有し、該３，４−ジアルコキシチオフェンのポリマーもしくはコポリマーがインキ中に少なくとも０．１重量％の濃度で存在することならびにインキが測色的に加法的な透明プリントを作製できることを特徴とする非−染料含有フレキソグラフィーインキ。
【請求項２】
フレキソグラフィーインキがさらに脂肪族アルコール類、ケトン類、アレン類、エステル類、グリコールエーテル類、環状エーテル類及びそれらの混合物より成る群から選ばれる水−混和性有機溶剤を含有する請求項１に従うフレキソグラフィーインキ。
【請求項３】
フレキソグラフィーインキがさらに顔料を含有する請求項１に従うフレキソグラフィーインキ。
【請求項４】
ｉ）該（３，４−ジアルコキシチオフェン）のポリマーもしくはコポリマー及び該ポリアニオンの水性分散液を濃縮し；そしてｉｉｉ）該ラテックス結合剤を加える段階を含んでなる請求項１に従うフレキソグラフィーインキの調製法。
【請求項５】
請求項１に従うフレキソグラフィーインキを準備し、該印刷インキを場合により下塗りされていることができる基質上に印刷し、それにより測色的に加法的な透明プリントを作製する段階を含んでなるフレキソグラフィー印刷法。
【請求項６】
２個のアルコキシ基が同一もしくは異なることができるかあるいは一緒になって場合により置換されていることができるオキシ−アルキレン−オキシ架橋を示す３，４−ジアルコキシチオフェンのポリマーもしくはコポリマーの少なくとも０．１重量％、ポリアニオン及びラテックス結合剤を溶剤又は水性媒体中に含有し、そして請求項４に従う方法により得られ得る測色的に加法的な透明プリントを作製できる非−染料含有フレキソグラフィーインキ。
【手続補正書】
【提出日】平成17年6月20日(2005.6.20)
【手続補正１】
【補正対象書類名】特許請求の範囲
【補正対象項目名】全文
【補正方法】変更
【補正の内容】
【特許請求の範囲】
【請求項１】
（１）１以上のポリカーボネート部分を含む基板と、（２）基板上に設けられた１以上のデータ層とを含むデータ用記憶媒体であって、上記ポリカーボネートが、下記の構造（Ｉ）、（II）、（III）、（IV）又はその組合せからなる１種以上の化合物を含み、１５０℃を超えるガラス転移温度を有する、記憶媒体。
【化１】
2004534889.tif 000001
【化２】
2004534889.tif 000002
【化３】
2004534889.tif 000003
【化４】
2004534889.tif 000004
【請求項２】
前記ポリカーボネートが２４℃の温度で０．０４を超える機械的減衰係数を有する、請求項１記載の記憶媒体。
【請求項３】
前記ポリカーボネートがポリスチレンを標準として１００００〜１０００００の範囲の重量平均分子量を有する、請求項１記載の記憶媒体。
【請求項４】
下記の構造（Ｉ）、（II）、（III）、（IV）又はその組合せからなる１種以上の化合物を含む、改善された制振性能を有するポリカーボネート組成物であって、ポリカーボネートが２４℃の温度で０．０４を超える機械的減衰係数及び１５０℃を超えるガラス転移温度を有する、ポリカーボネート組成物。
【化５】
2004534889.tif 000005
【化６】
2004534889.tif 000006
【化７】
2004534889.tif 000007
【化８】
2004534889.tif 000008
【請求項５】
前記ポリカーボネートがポリスチレンを標準として１００００〜１０００００の範囲の重量平均分子量を有する、請求項４記載のポリカーボネート組成物。
【請求項６】
前記ポリカーボネートがポリスチレンを標準として１００００〜５００００の範囲の重量平均分子量を有する、請求項５記載のポリカーボネート組成物。
【請求項７】
前記ポリカーボネートがポリスチレンを標準として１２０００〜４００００の範囲の重量平均分子量を有する、請求項６記載のポリカーボネート組成物。
【請求項８】
前記ポリカーボネートが２４℃の温度で０．１を超える機械的減衰係数を有する、請求項４記載のポリカーボネート組成物。
【請求項９】
物品の制振性能を改善するための方法であって、下記の構造（Ｉ）、（II）、（III）、（IV）又はその組合せからなる１種以上の化合物を有するポリカーボネートで物品を作ることを含んでなり、上記ポリカーボネートが２４℃の温度で０．０４を超える機械的減衰係数及び１５０℃を超えるガラス転移温度を有する、方法。
【化９】
2004534889.tif 000009
【化１０】
2004534889.tif 000010
【化１１】
2004534889.tif 000011
【化１２】
2004534889.tif 000012
【請求項１０】
物品がデータ用記憶媒体からなる、請求項９記載の方法。
【手続補正書】
【提出日】平成17年6月28日(2005.6.28)
【手続補正１】
【補正対象書類名】特許請求の範囲
【補正対象項目名】全文
【補正方法】変更
【補正の内容】
【特許請求の範囲】
【請求項１】
バイオマス物質を炭あるいは炭化炭に変換する処理方法であって、
（ａ）前記物質を密封コンテナに密閉し、それによって前記コンテナの非不活性成分は前記物質および空気から構成される工程と、
（ｂ）前記コンテナを空気で加圧する工程と、
（ｃ）前記物質を発火および燃焼させるために加熱する工程と、
（ｄ）圧力が限界圧力Ｐlimitを超過しないように、前記コンテナからガスを放出することにより前記コンテナ内の圧力をＰ1に制御する工程と、
（ｅ）前記圧力をＰ1に制御している間、前記物質全体にわたり、およそ４００度を超える温度を達成するため、状況に応じて追加の空気を前記コンテナ内に供給する工程と、
（ｆ）前記圧力を圧力Ｐ2に減圧するため、前記コンテナからガスを放出する工程と
を備える処理方法。  
【請求項２】
請求項１に記載の処理方法であって、前記工程（ｂ）および（ｃ）は、逆の順序にて実行される処理方法。
【請求項３】
請求項１に記載の処理方法であって、工程（ｅ）において、前記空気は前記コンテナの上部に供給され、前記圧力は前記コンテナの底部から前記ガスを放出することにより、Ｐlimitよりも低い圧力Ｐ1に制御される処理方法。
【請求項４】
請求項３に記載の処理方法であって、工程（ｆ）に続き、しばらくの間燃焼を維持するために、前記圧力Ｐ2にて前記コンテナの上部に追加の空気が継続して供給される処理方法。
【請求項５】
請求項１に記載の処理方法であって、工程（ｅ）における追加の空気の供給、および工程（ｆ）において、前記ガスを制御して放出することにより圧力を低圧基準まで減圧する工程は、連続して圧力を下げ、前記バイオマス物質を完全に炭化するために２回以上繰り返される処理方法。
【請求項６】
請求項５に記載の処理方法であって、前記ガスは前記コンテナの底部から放出される処理方法。
【請求項７】
請求項１に記載の処理方法において、前記バイオマス物質の発火を促進するため、着火材が前記コンテナ内に密閉されている処理方法。
【請求項８】
請求項１に記載の処理方法であって、前記工程（ｃ）において、前記バイオマス物質の発火後に加熱は中止される処理方法。
【請求項９】
請求項１に記載の処理方法において、前記コンテナから放出される前記ガスは、外部にて回収されるとともに、外部燃焼器内にて燃焼される処理方法。
【請求項１０】
請求項１に記載の処理方法において、前記コンテナから放出される前記ガスは、高温高圧にて触媒式燃焼装置に供給される処理方法。
【請求項１１】
請求項１に記載の処理方法において、前記放出されたガスは、電力を生成するために、高温高圧にてスチームまたはガスタービン、あるいはガスエンジンに供給される処理方法。
【請求項１２】
請求項１ないし１１のいずれかに記載の処理方法はさらに、
（ｇ）前記コンテナに対する追加の空気の供給を中止し、
（ｈ）前記コンテナからのガスの放出により、前記圧力を大気圧まで減圧する工程と、
（ｉ）高温の炭あるいは炭化炭を、燃焼に十分な空気あるいは酸素に露出させることなく取り除く工程とを備える処理方法。
【請求項１３】
請求項１に記載の処理方法において、前記バイオマス物質は湿っている処理方法。
【請求項１４】
請求項１に記載の処理方法において、前記バイオマス物質は乾燥している処理方法。
【請求項１５】
請求項１に記載の処理方法において、Ｐlimitは４００ｐｓｉｇ（２７５８０００Ｐａ）である処理方法。
【請求項１６】
請求項１に記載の処理方法において、前記コンテナ内に供給される追加空気量は、取り込まれた乾燥バイオマス供給１ｋｇにつきおよそ２ｋｇ未満である処理方法。
【請求項１７】
請求項１に記載の処理方法において、前記圧力は、前記コンテナの上部からガスを連続して放出し、次に前記コンテナの底部からガスを放出することにより、Ｐlimitより低く制御されている処理方法。
【請求項１８】
バイオマス物質を炭とガスとに熱分解変換する反応装置であって、
前記物質を含む取り外し可能な容器を収容するための密閉可能な開口部を有する筐体と、
加熱器と、
前記筐体の上部における第１のバルブ付きガス排出口および前記筐体の底部における第２のバルブ付きガス排出口と、
前記容器の上部に空気を導入するためのバルブ付き空気導入口と、
少なくとも前記容器の一部の側面を覆う断熱材と
を備え、前記密閉可能な開口部の開口時には、前記筐体を用いて密閉状態を形成して前記容器の中身の大気に対する露出を最小にするために、前記容器は前記筐体内に収容可能である反応装置。
【請求項１９】
請求項１８に記載の反応装置において、前記加熱器は、前記容器の底部におけるバイオマス物質を加熱するために配置されている抵抗加熱器を備える反応装置。
【請求項２０】
請求項１８に記載の反応装置はさらに、前記第２のバルブ付きガス排出口につながる外部バーナを備える反応装置。
【請求項２１】
請求項１８に記載の反応装置において、前記バルブ付き導入口は、前記筐体の底部を貫通するとともに前記容器の上部に開口端を有するチューブを備える反応装置。
【請求項２２】
請求項１に記載の処理方法において、前記コンテナからガスを放出する工程に先立ち、前記コンテナに対する追加の空気の供給が中止され、前記Ｐ2は大気圧である、処理方法。
【手続補正２】
【補正対象書類名】明細書
【補正対象項目名】００１２
【補正方法】変更
【補正の内容】
【００１２】
本発明は、バイオマスを炭あるいは炭化炭（併せてバイオカーボンとする）および電力へと熱変換する低エネルギ入力処理を提供し、（≡）バイオマスをコンテナに密閉する工程と、（ｉｉ）コンテナを空気で加圧する工程と、（ｉｉｉ）バイオマスを発火および燃焼させるために加熱する工程と、（ｉｖ）反応装置内の圧力を所定値Ｐlimitよりも低く維持するため、燃焼および熱分解の間、ガスをコンテナから放出する工程と、（ｖ）バイオマス物質層全体にわたり、コンテナからガスを放出することにより所望の所定基準Ｐ1にて圧力を制御する間、およそ４００度の温度に達するため、必要であれば、追加の空気をコンテナ内に搬送する工程と、（ｖｉ）コンテナの圧力をより低い所定値Ｐ2へと減圧するために、コンテナから一部のガスをさらに放出する工程とを備えている。バイオマスからバイオカーボンへと変換するために必要とされる際には、必要に応じて、工程（ｖ）〜（ｖｉ）のサイクルを連続的に低圧にて一回以上繰り返してよい。変換完了後、残留ガスは容器から放出される。
【手続補正３】
【補正対象書類名】明細書
【補正対象項目名】００１４
【補正方法】変更
【補正の内容】
【００１４】
空気は好適なガス酸化剤であるが、空気と酸素の混合物、あるいは純粋な酸素が発火を加速する、あるいはピーク圧力Ｐlimitを低減するために用いられ得る。また、工程（ｉｉ）および（ｉｉｉ）は、順序を入れ替えても良い。バイオマスの発火を加速するために加熱器の電源を入れた後、反応装置に空気を追加してもよい。
【手続補正書】
【提出日】平成17年5月23日(2005.5.23)
【手続補正１】
【補正対象書類名】特許請求の範囲
【補正対象項目名】全文
【補正方法】変更
【補正の内容】
【特許請求の範囲】
【請求項１】
ジアミド以外の有機成分をシリコーン成分と共重合させることを含むシリコーン-有機共重合体の製造方法であって、
前記成分の少なくとも一方の少なくとも一部が連鎖停止剤について独立に処理され、または前記両成分の少なくとも一部が連鎖停止剤について一緒に処理されており、
前記処理が共重合の完結前の任意の時点で行われることを特徴とする製造方法。
【請求項２】
前記有機成分が、ウレタン、尿素、またはイミドを含有する、請求項1に記載の方法。
【請求項３】
触媒の存在下で、
SiH含有シロキサンと
ビニル含有ジアミド
とを、添加される連鎖停止剤総量と純ジアミド総量のモル比が1:99〜3:97で、かつ、添加されるシロキサンSiH総量とジアミドビニル総量のモル比が0.9:1〜1.1:1となる組合せで共重合させることを含む、シロキサン系ポリアミドの製造方法。
【請求項４】
前記ジアミド、シロキサン、および触媒が無溶媒で実施される共重合中に添加される、請求項3に記載の方法。
【請求項５】
共重合中に、
トルエン、キシレン、デカメチルシクロペンタシロキサン、フェニルトリス(トリメチルシロキシ)シラン、線状アルコールのポリプロピレングリコールエーテル、またはこれらの2種以上の組合せを含む溶媒が存在する、請求項3に記載の方法。
【請求項６】
添加される連鎖停止剤総量と添加される純ジアミド総量のモル比が1.5:98.5〜2.5:97.5で、かつ、添加されるシロキサンSiH総量と添加されるジアミドビニル総量のモル比が0.95:1〜1.05:1である、請求項3に記載の方法。
【請求項７】
添加される連鎖停止剤総量と添加される純ジアミド総量のモル比が1.8:98.2〜2.2:97.8で、かつ、添加されるシロキサンSiH総量と添加されるジアミドビニル総量のモル比が0.99:1〜1.01:1である、請求項3に記載の方法。
【請求項８】
前記のSiH含有シロキサンおよびビニル含有ジアミドが、
得られるシロキサン系ポリアミドが次式の構造：
【化１】
2004534897.tif 000001
｛式中、
(1)DPは1〜700であり、
(2)nは1〜500であり、
(3)Xは、1〜30個の炭素を有する2価の脂肪族炭化水素基であり、
(4)Yは、
(a)1〜40個の炭素を有する2価の炭化水素基
（前記炭化水素基は、任意におよび付加的に、
(i)ヒドロキシ、
(ii)C3〜C8シクロアルキル、
(iii)C1〜C3アルキル、および、C1〜C3アルキルからなる群から独立に選択される1〜3個の基で置換されていてもよいフェニルからなる群から独立に選択される1〜3個の基、
(iv)C1〜C3ヒドロキシアルキル、および
(v)C1〜C6アルキルアミノ
からなる群から選択される少なくとも1個の基で置換されていてもよく、かつ、
前記炭化水素基は、任意におよび付加的に、
(i)1〜3個のアミド結合、
(ii)C5またはC6の2価環状飽和炭化水素基、および
(iii)C1〜C3アルキルからなる群から独立に選択される1〜3個の基で置換されていてもよいフェニレン
の少なくとも1つを含んでいてもよい）
あるいは
(b)R20T(R21)R22
（式中、R20およびR22は2価のC1〜C10炭化水素基、R21は1価または2価のC1〜C10炭化水素基であり、これらの基は互いに独立であり、TはC(R)(Rは水素、R1、R2、R3、R4から選択される)または3価のN、PもしくはAlである）であり、ならびに
(5)R1、R2、R3、およびR4は、独立して、メチル、エチル、プロピル、イソプロピル、シロキサン鎖、およびフェニル(1〜3個の位置でメチルおよびエチルからなる群から独立に選択される置換基で置換されていてもよい)からなる群から独立に選択される｝
を含むようなものである、請求項3に記載の方法。
【請求項９】
前記のSiH含有シロキサンおよびビニル含有ジアミドが、
得られるシロキサン系ポリアミドが次式の構造：
【化２】
2004534897.tif 000002
｛式中、
(1)DPは10〜50であり、
(2)nは45以上であり、
(3)Xは、1〜30個の炭素を有する2価の脂肪族炭化水素基であり、
(4)Yは、
(a)1〜40個の炭素を有する2価の炭化水素基
（前記炭化水素基は、任意におよび付加的に、
(i)ヒドロキシ、
(ii)C3〜C8シクロアルキル、
(iii)C1〜C3アルキルおよびC1〜C3アルキルからなる群から独立に選択される1〜3個の基で置換されていてもよいフェニルからなる群から独立に選択される1〜3個の基、
(iv)C1〜C3ヒドロキシアルキル、および
(v)C1〜C6アルキルアミノ
からなる群から選択される少なくとも1個の基で置換されていてもよく、かつ、
前記炭化水素基は、任意におよび付加的に、
(i)1〜3個のアミド結合、
(ii)C5またはC6の2価環状飽和炭化水素基、および
(iii)C1〜C3アルキルからなる群から独立に選択される1〜3個の基で置換されていてもよいフェニレン
の少なくとも1つを含んでいてもよい）、あるいは
(b)R20T(R21)R22
（式中、R20およびR22は2価のC1〜C10炭化水素基、R21は1価または2価のC1〜C10炭化水素基であり、これらの基は互いに独立であり、TはC(R)(Rは水素、R1、R2、R3、R4から選択される)または3価のN、PもしくはAlである）であり、ならびに
(5)R1、R2、R3、およびR4は、独立して、メチル、エチル、プロピル、イソプロピル、シロキサン含有鎖、およびフェニル(1〜3個の位置でメチルおよびエチルからなる群から独立に選択される置換基で置換されていてもよい)からなる群から独立に選択される｝を含むようなものである、請求項3に記載の方法。
【手続補正書】
【提出日】平成17年6月16日(2005.6.16)
【手続補正１】
【補正対象書類名】特許請求の範囲
【補正対象項目名】全文
【補正方法】変更
【補正の内容】
【特許請求の範囲】
【請求項１】
高度にフッ素化されたイオン交換ポリマーの液状組成物を作製するための方法であって、
ａ）前記ポリマーを水性テトラヒドロフランと接触させる工程と、
ｂ）水性テトラヒドロフランと接触している前記ポリマーを加熱することによって前記液状組成物を形成させる工程と、
を含むことを特徴とする方法。
【請求項２】
高度にフッ素化されたイオン交換ポリマーが水性テトラヒドロフラン中にあることを特徴とする液状組成物。
【手続補正２】
【補正対象書類名】明細書
【補正対象項目名】００２５
【補正方法】変更
【補正の内容】
【００２５】
（比較例）
比較のため、米国特許公報（特許文献２）の実施例１１の一般的教示に従い、完全フッ素化イオン交換ポリマー液状組成物を作製する。オートクレーブに完全フッ素化イオン交換ポリマーを１７ｇ、メタノールを２３ｇ、ｎ−プロパノールを５０ｇ、および蒸留水を１００ｇ投入する。これを機械撹拌しながら２３０℃で３時間加熱する。オートクレーブの圧力は１０００〜１１００ｐｓｉ（６．９〜７．６ＭＰａ）となる。室温に冷却しても若干の残留圧力があるためこれを通気する。得られる液体は２層に分離する。液体の総量の約１０体積％をなす上層は、主としてエーテルから構成されている。本発明の方法と比較すると、完全フッ素化イオン交換ポリマーを溶解するべく水性アルコールを使用すると圧力が３〜４倍高くなり、また溶媒の副生成物が相当量生成することが本実施例からわかる。
以下に、本発明の好ましい態様を示す。
１．  高度にフッ素化されたイオン交換ポリマーの液状組成物を作製するための方法であって、
ａ）前記ポリマーを水性テトラヒドロフランと接触させる工程と、
ｂ）水性テトラヒドロフランと接触している前記ポリマーを加熱することによって前記液状組成物を形成させる工程と、
を含むことを特徴とする方法。
２．  前記水性テトラヒドロフランが、重量％比で約１０：９０〜約９０：１０の水とテトラヒドロフランとから構成されることを特徴とする１．に記載の方法。
３．  前記水性テトラヒドロフランが、重量％比で約４５：５５〜約５５：４５の水とテトラヒドロフランとから構成されることを特徴とする１．に記載の方法。
４．前記水性テトラヒドロフランが、約５０重量％未満のテトラヒドロフランから構成されることを特徴とする１．に記載の方法。
５．  前記ポリマーが、ポリマーと水とテトラヒドロフランとの総重量の約１〜約１５重量％を構成することを特徴とする１．に記載の方法。
６．  水性テトラヒドロフランと接触している前記ポリマーが、約１５０℃〜約３００℃の温度に加熱されることを特徴とする１．に記載の方法。
７．  水性テトラヒドロフランと接触している前記ポリマーが、オートクレーブ中で加熱されることを特徴とする１．に記載の方法。
８．  前記高度にフッ素化されたイオン交換ポリマーが、酸形態、ナトリウムイオン形態、もしくはカリウムイオン形態、またはこれらの組み合わせであることを特徴とする１．に記載の方法。
９．  前記高度にフッ素化されたイオン交換ポリマーが、酸形態であることを特徴とする１．に記載の方法。
１０．  前記イオン交換ポリマーが、完全にフッ素化されていることを特徴とする１．に記載の方法。
１１．  前記イオン交換ポリマーのイオン交換比が、約３〜約３３であることを特徴とする１．に記載の方法。
１２．  前記イオン交換ポリマーのイオン交換比が、約８〜約２３であることを特徴とする１．に記載の方法。
１３．  前記組成物が、前記組成物の調製時における溶媒の反応による生成物を実質的に含まないことを特徴とする１．に記載の方法。
１４．  高度にフッ素化されたイオン交換ポリマーが水性テトラヒドロフラン中にあることを特徴とする液状組成物。
１５．  前記水性テトラヒドロフランの水対テトラヒドロフランが、約１０：９０重量％〜約９０：１０重量％であることを特徴とする１４．に記載の液状組成物。
１６．  前記水性テトラヒドロフランの水対テトラヒドロフランが、約４５：５５重量％〜約５５：４５重量％であることを特徴とする１４．に記載の液状組成物。
１７．  前記高度にフッ素化されたイオン交換ポリマーが、酸形態であることを特徴とする１４．に記載の液状組成物。
１８．  前記高度にフッ素化されたイオン交換ポリマーが、前記ポリマーと水性テトラヒドロフランとの総重量の約１〜約１５重量％であることを特徴とする１４．に記載の液状組成物。
１９．  前記イオン交換ポリマーが、完全にフッ素化されていることを特徴とする１４．に記載の液状組成物。
２０．前記イオン交換ポリマーのイオン交換比が、約３〜約３３であることを特徴とする１４．に記載の液状組成物。
２１．  前記イオン交換ポリマーのイオン交換比が、約８〜約２３であることを特徴とする１４．に記載の液状組成物。
２２．  前記組成物が、前記組成物調製時における溶媒の反応による生成物を実質的に含まないことを特徴とする１４．に記載の液状組成物。
【手続補正書】
【提出日】平成17年6月24日(2005.6.24)
【手続補正１】
【補正対象書類名】特許請求の範囲
【補正対象項目名】全文
【補正方法】変更
【補正の内容】
【特許請求の範囲】
【請求項１】
可溶性のウロキナーゼ型プラスミノゲン活性化因子受容体(suPAR)と共有結合した一本鎖ウロキナーゼ型プラスミノゲン活性化因子(scuPA)を含む、架橋したウロキナーゼ/受容体複合体scuPA/suPAR。
【請求項２】
可溶性ウロキナーゼ型プラスミノゲン活性化因子受容体の２単位以上と共有結合した一本鎖ウロキナーゼ型プラスミノゲン活性化因子を含む、架橋したウロキナーゼ/受容体複合体。
【請求項３】
約100kdの分子量を有しかつ線維素溶解活性を有する、請求項１に記載の架橋したウロキナーゼ/受容体複合体scuPA/suPAR。
【請求項４】
100〜300kdの範囲の分子量を有しかつ線維素溶解活性を有する、請求項２に記載の架橋したウロキナーゼ/受容体複合体scuPA/suPAR。
【請求項５】
ヒトIgG又はtcuPA又はtcuPA/suPAR又はtPA又は請求項２に記載のscuPA/suPAR複合体又は、tcuPA、tPA、ストレプトキナーゼ、rt-PA、rt-PA誘導体、APSC、組換えscuPA、プロウロキナーゼ又は血小板糖タンパクIIb-IIIa受容体阻害剤を本質的に含む１種以上のプラスミノゲン活性化因子をさらに含む、請求項１に記載の架橋したウロキナーゼ/受容体複合体scuPA/suPAR。
【請求項６】
tcuPA、tPA、ストレプトキナーゼ、rt-PA、rt-PA誘導体、APSC、組換えscuPA、プロウロキナーゼ、又は血小板糖タンパクIIb-IIIa受容体阻害剤を本質的に含む、１種以上のプラスミノゲン活性化因子をさらに含む、請求項２に記載の架橋したウロキナーゼ/受容体複合体scuPA/suPAR。
【請求項７】
等モルの、又はモル過剰量のsuPARと共有結合した２本鎖のウロキナーゼ型プラスミノゲン活性化因子(tcuPA)を含む、架橋したウロキナーゼ/受容体複合体tcuPA/tuPAR。
【手続補正書】
【提出日】平成17年6月9日(2005.6.9)
【手続補正１】
【補正対象書類名】特許請求の範囲
【補正対象項目名】全文
【補正方法】変更
【補正の内容】
【特許請求の範囲】
【請求項１】
６つのアミノ酸を含みかつ、プラスミノゲン活性化因子により誘起される血管作動性に対する阻害効果を有することを特徴とするポリペプチド。
【請求項２】
変化する数のアミノ酸配列の成分であるか、又は前記シーケンス中の１以上のアミノ酸の変性を有する請求項１に記載のポリペプチド。
【請求項３】
前記プラスミノゲン活性化因子が、tPA、uPA、tcuPA、tPA、ストレプトキナーゼ、rt-PA、rt-PA誘導体、APSC、組換えscuPA、プロウロキナーゼ、又は共有結合架橋したscuPA/suPAR複合体を含む、請求項１に記載のポリペプチド。
【請求項４】
さらにtPA又はuPAを含み、その組合わせが出血を起こさず線維素溶解活性を有する請求項１に記載のポリペプチド。
【請求項５】
tcuPA、tPA、ストレプトキナーゼ、rt-PA、rt-PA誘導体、APSC、組換えscuPA、プロウロキナーゼ、又は共有結合架橋したscuPA/suPAR複合体を含む１以上のプラスミノゲン活性化因子をさらに含み、かつ線維素溶解活性を有する請求項１に記載のポリペプチド。